(57)【要約】    【課題】  柔らかい音色で耳触りの良い打撃音が得られ、しかも快適に使用しうる手打拍子器を提供する。    【解決手段】第１の打片と、該第１の打片に打ち付けられることにより打撃音を生じる第２の打片とを有する手打拍子器であって、第１、第２の打片の一端部を弾性的な結合手段により連結し常時は他端部が最大の開口量となり、前記第１、第２の打片の対向する内表面が傾斜角度αで２枚貝状に開口するとともに、前記第１、第２の打片の対向する内表面に、周囲の周縁面を残して、その内部を凹状部とし、かつ前記周縁面に突起を設けないことにより、対向する周縁面が面衝突して前記打撃音を発生させ、しかも、前記第１の打片に、手に装着するためのベルトを設け、前記第１、第２の打片は、少なくともその一方の前記周縁面に、該周縁面を通る小溝を設け、また前記小溝は、前記周縁面で連続することを特徴とする。【選択図】  図１
2005181443.tif 000002
【特許請求の範囲】
【請求項１】
第１の打片と、該第１の打片に打ち付けられることにより打撃音を生じる第２の打片とを有する手打拍子器であって、
第１、第２の打片の一端部を弾性的な結合手段により連結し常時は他端部が最大の開口量となり、前記第１、第２の打片の対向する内表面が傾斜角度αで２枚貝状に開口するとともに、
前記第１、第２の打片の対向する内表面に、周囲の周縁面を残して、その内部を凹状部とし、
かつ前記周縁面に突起を設けないことにより、対向する周縁面が面衝突して前記打撃音を発生させ、
しかも、前記第１の打片に、手に装着するためのベルトを設けたことを特徴とする手打拍子器。
【請求項２】
前記第１、第２の打片は、少なくともその一方の前記周縁面に、該周縁面を通る小溝を設けたことを特徴とする請求項１記載の手打拍子器。
【請求項３】
前記小溝は、前記周縁面で連続することを特徴とする請求項２記載の手打拍子器。
【請求項４】
第１、第２の打片は、少なくともその一方の一端部に傾斜面が形成され、かつこの傾斜面が他方と接することにより、前記傾斜角度αを１５〜２５度としたことを特徴とする請求項１〜３のいずれかに記載の手打拍子器。
【請求項５】
前記第１の打片は、その一端部と他端部とを結ぶ中心線に対して２５〜６０度の角度で傾けて前記ベルトを装着する係止部を形成したことを特徴とする請求項１〜４のいずれかに記載の手打拍子器。
【発明の詳細な説明】
【技術分野】
【０００１】
本発明は、スポーツの応援、踊りのリズム楽器などに使用される手打拍子器に関する。
【背景技術】
【０００２】
野球、バレーボール、或いは運動会などスポーツ観戦の際、応援の意気を高め、雰囲気を盛り上げるための応援グッズとして、メガホン、太鼓、タンバリンなど各種の拍子具が使用される。なかでも、図１０に示すように、２個の打片ａ、ａがその一端部で開閉可能に連結され、何れか一方の打片ａの内表面の他端部に突設された突起ｂが他方の打片ａの内表面に衝突して打撃音を発生するカスタネット状の手打拍子器は、拍手に似た動作により弱い力でも強い打撃音を発し、しかも多人数で和すると大きな音が拡がるため、各種競技の応援の際に多く用いられている。
【０００３】
またこれら手打拍子器は、前記応援グッズのほかフラメンコなどスペイン舞踏において、踊り手自身が舞踊動作に合わせて自ら演奏するリズム楽器としても広く使用されている。
【０００４】
そして、手打拍子器の一方の打片ａを手袋ｃの掌部分に固定することより、応援中の激しい動作で手打拍子器の手からの落下と、紛失を防止しうる提案がされている（例えば、特許文献１参照）。
【０００５】
【特許文献１】実用新案登録第３０１２５９８号公報
【発明の開示】
【発明が解決しようとする課題】
【０００６】
しかしながら、前記手打拍子器は、一方の打片ａの突起ｂが他方の打片ａの内表面に衝突する時に発生する振動により打撃音を生じるため、その音量は大きいものの、波長の短い高音域の音となる。従って、その打撃音は甲高く聞こえ、近くの人にとっては非常に気にさわるものとなり、うるさく感じられる。しかも応援グッズとして多数の人に同時に使用されると、その打撃音が重なって甲高く耳障りな音が反響し、その結果応援の雰囲気を損ねることもある。
【０００７】
また、手袋ｃの掌部分に固定された手打拍子器を使用すると、特に夏場に激しく動作すると手袋ｃの中で汗を掻き易く、不快感を覚えるという問題がある。
【０００８】
本発明は、前記した手打拍子器が有する問題を解消し、第１、第２の打片の対向する内表面の周縁部に突起を設けないことにより、前記周縁部が面衝突して打撃音を発生させることを基本とし、柔らかい音色で耳触りの良い打撃音が得られ、しかも快適に使用しうる手打拍子器の提供を課題としている。
【課題を解決するための手段】
【０００９】
前記目的を達成するために、請求項１記載の発明は、第１の打片と、該第１の打片に打ち付けられることにより打撃音を生じる第２の打片とを有する手打拍子器であって、第１、第２の打片の一端部を弾性的な結合手段により連結し常時は他端部が最大の開口量となり、前記第１、第２の打片の対向する内表面が傾斜角度αで２枚貝状に開口するとともに、前記第１、第２の打片の対向する内表面に、周囲の周縁面を残して、その内部を凹状部とし、かつ前記周縁面に突起を設けないことにより、対向する周縁面が面衝突して前記打撃音を発生させ、しかも、前記第１の打片に、手に装着するためのベルトを設けたことを特徴とする。
【００１０】
また請求項２記載の発明は、前記第１、第２の打片は、少なくともその一方の前記周縁面に、該周縁面を通る小溝を設けたことを特徴とする請求項１記載の手打拍子器である。  
【００１１】
また請求項３記載の発明は、前記小溝は、前記周縁面で連続することを特徴とする請求項２記載の手打拍子器である。
【００１２】
また請求項４記載の発明は、第１、第２の打片は、少なくともその一方の一端部に傾斜面が形成され、かつこの傾斜面が他方と接することにより、前記傾斜角度αを１５〜２５度としたことを特徴とする請求項１〜３のいずれかに記載の手打拍子器である。
【００１３】
また請求項５記載の発明は、前記第１の打片は、その一端部と他端部とを結ぶ中心線に対して２５〜６０度の角度で傾けて前記ベルトを装着する係止部を形成したことを特徴とする請求項１〜４のいずれかに記載の手打拍子器である。
【発明の効果】
【００１４】
本発明は叙上の如く、前記第１、第２の打片の対向する内表面に、周囲の周縁面を残して、その内部を凹状部とし、かつ前記周縁面に突起を設けないことにより、対向する周縁面が面衝突して前記打撃音を発生させるので、衝突による衝撃エネルギーが衝突する周縁面全体に分散されて、第１、第２の打片の略全体が振動して打撃音を発生するため、ソフトな音質で耳触りの柔らかい打撃音が得られる。また第１の打片に、手に装着するためのベルトを設けたので、手から落下することを防止でき、かつ手打拍子器を装着したまま手を自由に動かすことができ、しかも手に汗をかくことも少なく快適に使用できる。
【００１５】
また請求項２記載の発明のように、前記第１、第２の打片は、少なくともその一方の前記周縁面に、該周縁面を通る小溝を設けた場合、打撃音が割れることがなく、柔らかな音質を得ることができる。
【００１６】
また請求項３記載の発明のように、前記小溝は前記周縁面で連続すると打撃音の割れ防止の効果がより確実となる。
【００１７】
また請求項４記載の発明のように、第１、第２の打片は、少なくともその一方の一端部に傾斜面が形成され、かつこの傾斜面が他方と接することにより、前記傾斜角度αを１５〜２５度とした場合、第１、第２の打片を面衝突させる打撃操作を容易とし、しかも充分な大きさの打撃音を得ることができる。
【００１８】
また請求項５記載の発明のように、前記第１の打片は、その一端部と他端部とを結ぶ中心線に対して２５〜６０度の角度で傾けて前記ベルトを装着する係止部を形成すると、ベルトで一方の手に装着した際、第１、第２の打片の開口側が他方の手の方向を向くため、その他方の手で第２の打片を叩いて打撃音を出す際の操作性が良好となる。
【発明を実施するための最良の形態】
【００１９】
以下、本発明の実施の一形態を、図示例とともに説明する。図１は手打拍子器１の斜視図、図２はそのＡ−Ａ断面図、図３はそのＢ−Ｂ断面図である。本発明の手打拍子器１は、第１の打片Ｈ１と、第２の打片Ｈ２とを含み構成される。
【００２０】
前記第１、第２の打片Ｈ１、Ｈ２は、図１、４に示すように、略円盤状をなし、直径は例えば３０〜９０ｍｍ程度、本形態では６０ｍｍに形成され、厚さは例えば５〜１５ｍｍ程度、本形態では１０ｍｍに形成される。また第１、第２の打片Ｈ１、Ｈ２の対向する内表面は、その中心に凹球面をなす凹状部４が形成される。本形態の凹状部４は、その球面半径が例えば３０〜６０ｍｍ程度、本形態では４０ｍｍに形成される。
【００２１】
従って、第１、第２の打片Ｈ１、Ｈ２は、その内表面に、前記凹状部４の外側で、表面が平滑かつ環状の周縁面３が形成される。そして第１、第２の打片Ｈ１、Ｈ２の周縁面３相互は、その略全面で隙間なく当接できる。またこの周縁面３は、その幅が例えば５〜１５ｍｍ程度、本形態では１０ｍｍに形成される。
【００２２】
また本形態の第２の打片Ｈ２は、図２、４に示すように、内表面の一端部に、外縁側が削り取られた傾斜面８が形成される。そして本形態の傾斜面８は、図４に示すように、第２の打片Ｈ２の外周縁からの最大寸法ｄが９ｍｍに形成され、その結果前記周縁面３は、前記一端部で本形態では１ｍｍの小幅の継ぎ部３ａを介して連続する。
【００２３】
また前記第１、第２の打片Ｈ１、Ｈ２は、前記傾斜面８が形成された一端部において弾性的な結合手段２で連結される。本形態の結合手段２は、第１、第２の打片Ｈ１、Ｈ２の一端部を連続して貫通する一対の紐孔２１、２１に挿入されたゴム紐２Ａを含み構成されたものを例示している。
【００２４】
前記一対の紐孔２１、２１は、第１、第２の打片Ｈ１、Ｈ２の同一円周上に形成され、かつ第２の打片Ｈ２の紐孔２１は、その一端が前記傾斜面８内に開口する位置に配される。また一対の紐孔２１、２１は、その間隔が例えば１５〜２５ｍｍ程度、本形態では１９ｍｍに形成され、また紐孔２１の内径は例えば２〜４ｍｍ程度、本形態では３ｍｍに形成される。
【００２５】
前記ゴム紐２Ａは、前記第１、第２の打片Ｈ１、Ｈ２を貫通する一対の紐孔２１、２１に連続して挿通され、引張り力が付与された状態で結び目２３により環状に結ばれる。その結果、前記第１、第２の打片Ｈ１、Ｈ２は、その一端部が弾性的に連結され、常時は第１の打片Ｈ１の内表面の一端部と第２の打片Ｈ２の傾斜面８とが当接することにより、第１、第２の打片Ｈ１、Ｈ２の対向する内表面が傾斜角度αで２枚貝状に開口し、他端部はその開口量が最大となる。
【００２６】
そして、第２の打片Ｈ２の外表面を叩くなどして、第２の打片Ｈ２を第１の打片Ｈ１に向けて押圧すると、第２の打片Ｈ２の傾斜面８と周縁面３の屈曲部２４を支点とし、前記ゴム紐２Ａの弾性に抗して第２の打片Ｈ２は、第１の打片Ｈ１に向けて回動し、その結果、第１、第２の打片Ｈ１、Ｈ２の周縁面３相互が衝突して打撃音を生じる。
【００２７】
このとき、第１、第２の打片Ｈ１、Ｈ２の周縁面３には突起の突出がないため、周縁面３相互は面衝突し、その衝撃に基づいて打撃音が発生する。面衝突による打撃音は、衝突エネルギーが第１、第２の打片Ｈ１、Ｈ２の周縁面３の全面に分散されて発生するため、その振動は、波長が長くなるとともに整然とした波形をもち、ソフトな音質を持った耳触りの柔らかい打撃音がえられる。その結果野球など応援グッズとして使用する際、多人数が発する打撃音が和すると調和のある大きな反響音が形成され、応援の雰囲気を高めることができる。
【００２８】
また、面衝突する前記第１、第２の打片Ｈ１、Ｈ２の周縁面３の幅、および前記凹球面をなす凹状部４の球面半径が打撃音の大きさ、音質に大きく左右する要因となる。具体的には、前記本形態の如く、周縁面３の幅が１０ｍｍ程度、凹状部４を球面半径が４０ｍｍ程度のゆるやかな凹球面とするのが最も好適な寸法であり、この場合にはソフトな音質で耳触りが柔らかく、しかも適度な大きさの打撃音が得られる。そして、周縁面３の幅が１５ｍｍを越えて大きいとき、或いは凹状部４が深く小さい場合、又逆に浅い場合などには、音が甲高くなり、或いは弱々しい打撃音となる。
【００２９】
前記傾斜角度αは例えば１５〜２５度程度、本形態では２２度に形成される。傾斜角度αが１５度未満では、最大開口量が過小なため第２の打片Ｈ２の衝突時の回転速度が小さくなり、その結果打撃音の音量が不足するとともに音質の劣化をまねく。また傾斜角度αが２５度を越えると、前記第１、第２の打片Ｈ１、Ｈ２が開き過ぎるため、第２の打片Ｈ２を叩いて第１の打片Ｈ１に打ち付ける操作がやりづらく、さらには第２の打片Ｈ２を叩いて与えられるエネルギーが第１の打片Ｈ１と衝突する前に失われ、そのため音量が不足し音質が不安定となる。
【００３０】
また、前記傾斜面８は、本形態では、第２の打片Ｈ２の内周面の一端部に形成しているが、第１の打片Ｈ１の内周面に設けてもよい。そして第１、第２の打片Ｈ１、Ｈ２の双方の内周面に、向き合う傾斜面８を形成することもできる。しかし、第１、第２の打片Ｈ１、Ｈ２を安定して連結し、相互の位置ズレを防止するため、第１、第２の打片Ｈ１、Ｈ２の何れか一方に傾斜面８を形成することが好ましい。
【００３１】
さらに前記紐孔２１、２１の、第１、第２の打片Ｈ１、Ｈ２の外表面における開口の間には、幅３ｍｍ、深さ２．５ｍｍ程度の支持溝２２が形成される。前記ゴム紐２Ａは、この支持溝２２に挿入されて第１、第２の打片Ｈ１、Ｈ２の外表面から大きく突出することがないため、ゴム紐２Ａに手などが引っ掛かることを防止でき、かつ見栄えが高まる点で好ましい。
【００３２】
前記結合手段２は、本形態では、第１、第２の打片Ｈ１、Ｈ２を連続して貫通する紐孔２１に挿通されたゴム紐２Ａを含み構成されるが、第１、第２の打片Ｈ１、Ｈ２の一端部を連結し、かつバネにより付勢された蝶番状の枢支手段を用いることもできる。或いは第１、第２の打片Ｈ１、Ｈ２の一端部をスチレンブタジエンゴム、イソプレンゴムその他の合成ゴム、オレフィン系、スチレン系その他の熱可塑性エラストマー、エチレン酢ビ共重合樹脂（ＥＶＡ）など弾性材料を用いたゴム層を介して固着することでもよい。
【００３３】
また、前記第１、第２の打片Ｈ１、Ｈ２は、図４に示すように、その周縁面３に小溝６が形成される。本形態の小溝６は、半径２５ｍｍの円弧状をなして周縁面３で連続し、環状の周縁面３の中央に配されている。また該小溝６は、図５に示すように、幅Ｗが例えば０．５〜２ｍｍ程度、本形態では１ｍｍに形成され、深さＤが例えば０．５〜２ｍｍ程度、本形態では１ｍｍに形成される。さらに本形態の小溝６は、その底部が半径０．５ｍｍの断面半円状に形成される。
【００３４】
第１、第２の打片Ｈ１、Ｈ２が面衝突して打撃音を発する際、第１、第２の打片Ｈ１、Ｈ２の凹状部４間、及び周縁面３間に挟まれる空気は、逃げ場がないため圧縮されて衝撃を生じる。この衝撃に基づいて第１、第２の打片Ｈ１、Ｈ２全体が振動し、これが周縁面３での音のひずみとなって現れ、その結果クリアーな音と異なる割れたひずみ音を生じる。しかし、周縁面３に形成された小溝６は、前記空気の圧縮を和らげることにより、周縁面３で生じる前記音のひずみを緩和して音割れを防止し、その結果クリアーな打撃音を得ることができる。さらに、小溝６は、第１、第２の打片Ｈ１、Ｈ２が面衝突して音を発する際、共鳴空間としてスピーカーの役割を担い、柔らかい打撃音を作り出すことができる。
【００３５】
本形態の小溝６は、第１、第２の打片Ｈ１、Ｈ２の双方の周縁面３に、互いに向き合って形成されるが、第１、第２の打片Ｈ１、Ｈ２の何れか一方の周縁面３にのみ、小溝６を設けることでもよい。
【００３６】
前記第１、第２の打片Ｈ１、Ｈ２は、その外表面全体に球面状の凸状部Ｔ１、Ｔ２が形成される。第１の打片Ｈ１の凸状部Ｔ１は、球面半径が１５０〜３００ｍｍ程度、本形態では２３０ｍｍに形成され、第２の打片Ｈ２の凸状部Ｔ２は、球面半径が１２０〜２５０ｍｍ程度、本形態では１８０ｍｍに形成される。
【００３７】
また前記第１、第２の打片Ｈ１、Ｈ２は、ローズウッド、エボニー、くるみ、さくらなどの比較的硬い木材を用い切削具により加工して製造される。ＡＢＳ樹脂、ポリプロピレン樹脂、ユリヤ樹脂、メラミン樹脂などのプラスチック材料を用いて成型することもでき、これらプラスチック製のものは、耐水性に優れるため降雨時にも支障なく使用できる点で好ましい。
【００３８】
前記第１の打片Ｈ１は、手に装着するためのベルト５が設けられる。本形態のベルト５は、図６に示すように、タテ糸と芯ゴムをヨコ糸で織り、さらに面ファスナーのループが一体に形成された織りゴムを用いたベルト本体５ａと、このベルト本体５ａの一端部に固着された面ファスナーのフック部５ｂとからなる。そして、このベルト５を環状に変形させ、かつ一端部のフック部５ｂを向合うベルト本体５ａの他端部に押付けると、面ファスナーの機能により、ベルト本体５ａの両端部が着脱可能に固着され、ベルト５は前記環状を維持する。そして本形態のベルト５は、その長さが２８０ｍｍ程度、幅が２４ｍｍ程度に形成され、厚さは２．５ｍｍ程度のもを用いる。
【００３９】
前記ベルト５は、第１の打片Ｈ１に形成された係止部７に挿着される。この係止部７は、本形態では、第１の打片Ｈ１に両端部に形成され、前記ベルト５が挿通される一対のベルト孔２５、２５を含み構成されたものを例示している。このベルト孔２５は、２５ｍｍ程度の幅を有し、図３に示すように、第１の打片Ｈ１の側周面と外表面の間で斜めに設けられる。そして本形態のベルト孔２５は、第１の打片Ｈ１の側周面と外表面の稜線から、側周面におけるベルト孔２５の開口縁までの長さＬ１が３ｍｍ、かつ外表面におけるベルト孔２５の開口縁までの長さＬ２が５ｍｍの位置に形成される。
【００４０】
図７に示すように、第１の打片Ｈ１に挿着されたベルト５を掌に巻回し、かつ前記面ファスナーを用いて、引張力をかけた状態でベルト５の両端部を固着すると、手打拍子器１を手に安定した状態で装着できる。このように、第１の打片Ｈ１に設けたベルト５により、手からの落下を防止でき、紛失することがなくなる。しかも手打拍子器を装着したままで手が自由に使え、便利に操作できる。また、ベルトは手の一部分を覆うだけであるため、夏季の使用においても手に汗をかくことが少なく快適に使用できる。
【００４１】
そして本形態のベルト孔２５、２５は、図４に示すように、第１の打片Ｈ１の一端部と他端部とを結ぶ中心線Ｘ−Ｘに対して、例えば２５度〜６０度程度の角度βで傾いて配置される。従って、ベルト孔２５、２５間に挿通されるベルト５は、前記中心線Ｘ−Ｘに対して２５度〜６０度に傾いて配置される。その結果、図７に示すように、このベルト５で手打拍子器１を右手に装着したとき、前記中心線Ｘ−Ｘが左肩方向を向くため、左手で第２の打片Ｈ２を叩く動作を容易とし、楽な姿勢で手打拍子器１を操作することができる。  
【００４２】
また、第１の打片Ｈ１は、図３、４に示すように、その外表面に、ベルト溝２９が形成される。また該ベルト溝２９は、前記ベルト孔２５、２５の外表面における開口の間に設けられ、幅が２５ｍｍ程度、深さが２．５ｍｍ程度に形成される。そして該ベルト溝２９は、その内部にベルト孔２５、２５に挿通されたベルト５が挿入される。このようにベルト５は、ベルト溝２９内に挿入されるため、第１の打片Ｈ１の外表面からの突出が小さくなるとともにベルト溝２９内で位置決めされ、その結果ベルト５による手打拍子器１の固定が更に安定となる点で好ましい。
【００４３】
図８、９は、他の実施形態を例示している。以下異なる内容のみを説明し、それ以外は図中に表れれた同等の構成に同じ符号を付すのみとし、説明を省略している。
【００４４】
本形態のベルト５は、手首に巻回される帯状のベルト基部５Ａと、このベルト基部５Ａの中間部からベルト基部５Ａに対して直角にのびるベルト脚部５Ｂとを具えてＴ字状をなす。本形態のベルト５は、天然皮革、ナイロン、ポリウレタン、塩化ビニルなどの合成皮革を用いて形成される。またベルト脚部５Ｂは、その先端部に指を挿入しうる支持孔２６が形成され、ベルト基部５Ａの両端部の表面、裏面に各々、面ファスナーを構成するループ部２７ａとフック部２７ｂが固着されている。そして前記ベルト脚部５Ｂは、第１の打片Ｈ１の係止部７に挿着される。
【００４５】
本形態の手打拍子器１は、図９に示すように、ベルト脚部５Ｂの支持孔２６に中指２８を挿入するとともに、ベルト基部５Ａを手首に巻回し、かつ前記ループ部２７ａとフック部２７ｂと押し当て係合させると、面ファスナーの機能によりベルト基部５Ａが手首に固定される。このように本形態の手打拍子器１は、Ｔ字状のベルト５により、手首と中指とに確実に固定されるため、激しく動作しても外れて落下することがない点で好ましい。
【図面の簡単な説明】
【００４６】
【図１】本発明の一実施の形態を例示する斜視図である。
【図２】そのＡ−Ａ断面図である。
【図３】そのＢ−Ｂ断面図である。
【図４】その分解図である。
【図５】そのＣ−Ｃ断面図である。
【図６】ベルトの斜視図である。
【図７】その使用状態を説明する斜視図である。
【図８】他の実施形態を例示する斜視図である。
【図９】その使用状態を説明する斜視図である。
【図１０】従来例を示す斜視図である。
【符号の説明】
【００４７】
１      手打拍子器
２      結合手段
３      周縁面
４      凹状部
５      ベルト
６      小溝
７      係止部
８      傾斜面
Ｆ      内表面
Ｈ１    第１の内打
Ｈ２    第２の内打
【図１】
2005181443.tif 000003
【図２】
2005181443.tif 000004
【図３】
2005181443.tif 000005
【図４】
2005181443.tif 000006
【図５】
2005181443.tif 000007
【図６】
2005181443.tif 000008
【図７】
2005181443.tif 000009
【図８】
2005181443.tif 000010
【図９】
2005181443.tif 000011
【図１０】
2005181443.tif 000012